(57)【要約】【課題】  複数毎の画像データを１枚に画像合成した際に発生する、各ページで持つページ属性を最適化した画質で出力できないという問題を解決する。【解決手段】  画像合成後のレイアウト情報と各レイアウトに従ったページ属性を判断し、画像データに前記ページ属性を付加した形での画像処理を行う構成を取ることで、各ページが持つページ属性を反映した画像合成の合成データを出力する。【選択図】  図１
2008103919.tif 000002
【特許請求の範囲】
【請求項１】
画素データ及び画素ごとの属性情報を有する画像データと、一つ以上異なる複数の成分画像を持つ画像データに対応する成分画像データを元に、画像を処理する画像処理装置であって、
複数の成分画像を一つの合成画像に対応する合成画像データへと変換する画像合成手段と、
前記合成画像のレイアウト情報と、前記成分画像データと、合成画像を生成する上での各成分画像の境界情報を元に、合成画像を生成するための各画素データに対する成分画像データの算出を行う処理手段と、
その属性情報を合成画像データの識別情報として画素に付加する手段と、
前記識別情報として同一の値を持つ画素に対して共通の画像処理を施す処理手段と
を備えることを特徴とした画像処理装置。
【請求項２】
請求項１において、前記各成分画像の境界情報は、前記合成画像のレイアウト情報から、複数ある成分画像同士の重なりを判断し、且つ、常に各成分画像同士が少なくとも１画素以上は重なりあうことを特徴とする画像処理装置。
【請求項３】
請求項１において、前記レイアウト情報は、画像合成を行う際に合成を行う前記各成分画像データの合成位置の情報を含み、且つ各成分画像データのレイヤーの面順位を含むことを特徴とした画像処理装置。
【請求項４】
請求項１において、前記識別情報として同一の値を持つ画素に対して共通の地紋処理を施すことを特徴とした画像処理装置。
【請求項５】
請求項１において、前記識別情報として同一の値を持つ画素に対して共通の白黒変換処理を施すことを特徴とした画像処理装置。
【請求項６】
請求項１において、前記識別情報として同一の値を持つ画素に対して共通のオブジェクト切り替え処理を施すことを特徴とした画像処理装置。
【請求項７】
請求項１において、前記識別情報として同一の値を持つ画素に対して共通の下地除去を施すことを特徴とした画像処理装置。
【請求項８】
請求項１において、前記識別情報として同一の値を持つ画素に対して共通のトラッピング処理を施すことを特徴とした画像処理装置。
【請求項９】
請求項１において、画像の合成手段をユーザーに指示させる操作部を備えることを特徴とする画像形成装置。
【請求項１０】
原稿画像を読み取って、画像データを生成する画像読み取り部と、前記画像データに対して画素毎に属性情報を付加する像域分離処理手段と、前記像域分離手段により分離された属性情報を付加された画像データを処理する処理手段も備えることを特徴とした画像処理装置。
【発明の詳細な説明】
【技術分野】
【０００１】
本発明は、画像データの画像特性に応じた属性情報を画像データに付加し、付加した属性データに応じて画像処理を施す画像処理装置及び画像処理方法に関するもの。
【背景技術】
【０００２】
従来、画像データの画素毎に属性情報をふかし、属性情報に応じて画像処理を行っているデジタル複写機がある。例えば、スキャナなどで紙媒体を読み込むコピー画像に対しては、各画素毎に文字とイメージとを切り替える文字／イメージフラグや、有彩色と無彩色とを切り替える有彩色／無彩色フラグなどが、画素毎の属性情報として画像データに付加される。あるいは、印画紙写真モードや非印画紙写真モードなどが、読み込み処理の動作モードに応じてページ単位で切り替えられる属性として、画像データに付加される。
【０００３】
また、PDLデータに対しても、文字／イメージフラグ、有彩色／無彩色フラグ、ベクターフラグなどが画像データに対して、属性情報として付加される。
【０００４】
画像処理では、この属性情報を元に、画像処理の処理手段を切り替えて行うことで、画質の向上を図っている。
【０００５】
従来例としては、例えば、画素ごとの属性データと面ごとの属性データを元に、画像処理を行うものがある（特許文献１参照）。この特許文献１は、画像処理の際に予め対応する画素ごとの面データが解っていて、さらに、その画素毎に付加したZデータとの組み合わせで処理を行うものである。実際には、この特許では、画素ごとに面データを付加していないし、画素ごとの面データを判断する手段が無いため、実現するには難しい。且つ、重なり部分の画像属性が、閾値によりどちらの面にも属さない画素が出てくる。
【特許文献１】特開2006-121607号公報
【発明の開示】
【発明が解決しようとする課題】
【０００６】
デジタル複写機には、１ページ内に複数の画像データを収めて印刷出力する縮小レイアウト機能（複数毎の画像データを1枚のページに印刷出力するNin1の機能など）を有するものがある。また、複数の画像データを重ね合わせた画像合成した画像データを印刷出力する画像合成機能を有するものがある。
【０００７】
このような縮小レイアウト機能や画像合成機能を用いる場合には、読み込み画像毎に適切な処理が施せないという問題があった。
【０００８】
例えば、自動カラー白黒判定、すなわち、カラー画像に黒以外の色成分が含まれているか否かを判断し、黒以外の成分が含まれないと判断された場合には、無彩色属性を付加する機能や、自動下地飛ばし機能、すなわち、原稿の下地色を除去する機能のための処理を行うときに適切な処理が施せない。この場合、複数の画像を読み込んで１枚の紙媒体上に画像を形成させる処理を行うと、複数の読み込み画像を収めたページの単位で自動カラー白黒判定や下地飛ばし機能を行うことになる。すなわち、複数毎にことなる自動カラー白黒判定や下地飛ばし処理が行われず、1枚の縮小レイアウト後もしくは画像合成後の画像としての自動カラー白黒判定、下地飛ばしが行われることになる。
【０００９】
そのため、各画像データを縮小レイアウトや画像合成した印刷品質と、縮小レイアウトや画像合成を行わない場合の印刷品質とが異なってしまう。
【００１０】
例えば、白黒画像とカラー画像を1ページ内に縮小レイアウトして印刷すると、ページ全体としては、カラー画像として判定され、本来白黒画像である部分の画像は、色成分を合成したプロセスブラックとして処理され、灰色化して印刷される可能性がある。
【００１１】
また、ＨＤＤ等の記憶媒体内に保存されているＰＤＬ画像と、スキャナで読み取った画像データの画像合成をして印刷出力する場合にも、スキャナで読み取った画像での属性としてＰＤＬ画像に対する処理が行われ、本来のＰＤＬ印刷出力と異なった画質で出力される。
【課題を解決するための手段】
【００１２】
前記目的を達成するため、本発明は、画像データを構成する画素ごとに画素の属性情報と、一つ以上異なる複数の成分画像を持つ画像データに対応する成分画像データを元に、新たに画素ごとの属性情報を生成しなおし、その属性情報に従って画像データを処理する画像処理装置を提供する。
【００１３】
ここで、前記画像処理装置は、複数の成分画像を一つの合成画像に対応する合成画像データへと変換する画像合成手段と、
前記合成画像のレイアウト情報から合成画像を生成する上での各成分画像の配置を判断し、且つ、各成分画像の重なり部分の成分画像を判断する成分画像位置判断手段と、
前記成分画像位置判断手段から判断された合成画像後の各成分画像データと、合成画像を生成するための各画素データに対する成分画像データの算出を行う処理手段と、
その属性情報を合成画像データの識別情報として画素に付加する手段と、
前記識別情報として同一の値を持つ画素に対して共通の画像処理を施す処理手段とを備える。
【００１４】
前記レイアウト情報は、画像合成を行う際に合成を行う前記各成分画像データの合成位置の情報から判断されるものである。
【００１５】
前記成分画像位置判断手段によって判断される各成分画像の重なりは、前記レイアウト情報から、各成分画像がお互いに重なることを許可し、且つ１つ以上の複数の成分画像が重なり合った場合にも、どの成分画像が画像合成後の一番上のレイヤーに配置されるかを判断する。
【００１６】
前記成分画像データの識別情報と、前記画素ごとの画素の属性情報とを元に、その画素に適した画像処理を行う為に、新たな属性情報を生成し、その属性情報を元に画像処理を行う。
【００１７】
本発明によれば、複数の画像を１ページに画像合成して印刷出力される場合であっても、ページ単位で行うべき画像処理を合成前のページごとの処理を実行することで出力画像の品質を向上させることが可能となる。また、各合成する画像間の境界も、適正なページ面を判断することで、合成画像の境界部分の画像品質を向上させることが可能となる。
【発明の効果】
【００１８】
本発明のように、複数ページの画像を１ページに合成出力する際に、各々のページの属性情報を考慮に入れた画像処理を行うことで、より最適な画像品質を保つことができる。例えば、Nin1などの複数面での印刷時にも、PDLとスキャン画像に対してページごとに異なる属性の画像データも、各ページに対して最適な画像で出力できる。
【００１９】
さらに、合成面の画素に対しても、常にどの面が上位の面にきているかを判断することで、画像面同士の境界における画素の不具合を防ぐことが可能となる。
【００２０】
これによって、各ページごとに異なる属性を持つ画像に対しても、常にページごとの属性情報を反映させた合成画像を出力することができる。
【発明を実施するための最良の形態】
【００２１】
以下添付図面を参照して、本発明に係る好適な実施例を説明する。
【００２２】
本実施例を適用するのに好適な画像処理装置の代表的な利用例を図１に示す。この画像処理装置220は、たとえばデジタルカラー複写機などの画像入出力装置として実現される。
【００２３】
画像処理装置220内部にあるコントローラユニット30内に、画像データ及び画素の属性データから、合成に最適な画素の属性データ（像域フラグ）を算出し、それに従った画像データ及び合成画像の生成を行う。
【００２４】
コントローラユニット30、及び像域フラグについての詳細説明は、後述する。
【００２５】
図２は、画像形成装置を含むネットワークシステムを示す図である。
【００２６】
図2中の200はインターネット通信網である。201はウェブサーバであり、インターネット200上に接続され、インターネットユーザーに特定のサービスを提供する。2011はLANである。202は金融機関と消費者クライアントの間の決済処理などを行う電子マネーサーバである。204は個人ユーザーの端末とインターネット200との接続処理を行うサービスプロバイダである。203はファイアーウォールであり、これにより下に図示したLAN 2011内部と外部通信網（インターネット200）とを接続し、セキュリティー管理などを行う。210はLAN 2011で接続された211〜214、220の各機器管理サーバーである。211はファイルサーバであり、LAN 2011で接続された複数のユーザーがデータを共有することができる。
【００２７】
画像形成装置220において、140はユーザーが各種の操作を行うための操作部、10は操作部140やPC 212、213からの指示にしたがって画像を読み取るためのイメージスキャナ、20はPC 212、213やファイルサーバ211からのデータを用紙に印刷するプリンタである。
【００２８】
30はコントローラユニットであり、操作部140やLAN  2011、MODEM 2050を介してのデータ、PC 212、213からの指示に基づいてスキャナ10、プリンタ20に対する画像データの入出力の制御を行う。例えば、LAN 2011経由でネットワーク上のコマンドデータを受信し、スキャナ10が取り込んだ画像データをコントローラ内部のメモリに蓄積したり、パソコン212、213に出力したり、あるいはプリンタ20で印刷するなどの制御を行う。
【００２９】
214はプリンタであり、パソコン212、213やファイルサーバ211からの画像データを記録媒体上に出力することができる。212、213は端末装置として接続されたパソコンである。インターネット200を介してウェブサーバ201から提供された情報を閲覧したり、画像データを画像形成装置220やプリンタ214に出力したりすることができる。
【００３０】
＜画像形成装置220の構成説明＞
本発明の画像形成装置220の外観を図３に示す。
【００３１】
画像入力デバイスであるスキャナ部10は、原稿画像をランプにより照射し、CCDラインセンサ(図示せず)で読み取り、電気信号に変換することで画像データとして処理を行なう。原稿用紙を原稿フィーダ142にセットし、装置使用者が操作部140から読み取り起動指示することにより、フィーダ2072は原稿用紙を1枚ずつフィードし原稿画像の読み取り動作を行う。
【００３２】
画像出力デバイスであるプリンタ部20は、画像データを用紙上の画像に変換する部分であり、本特許の明細書では、感光体ドラムや感光体ベルトを用いた電子写真方式により説明を行なうが、微少ノズルアレイからインクを吐出して用紙上に直接画像を印字するインクジェット方式等であっても構わない。プリント動作の起動は、装置内部のコントローラ（後述）からの指示によって開始する。プリンタ部20には、異なる用紙サイズまたは異なる用紙向きを選択できるように複数の給紙段を持ち、それに対応した用紙カセット2101、2102、2103、2104がある。また、画像形成された用紙は排紙トレイ132上に排出される。
【００３３】
図４は本発明の画像形成装置220構成を説明する断面図である。
【００３４】
101は原稿台ガラスであり、原稿自動送り装置142から給送された原稿が順次、所定位置に載置される。102は例えばハロゲンランプから構成される原稿照明ランプで、原稿台ガラス101に載置された原稿を露光する。103、104、105は走査ミラーであり、図示しない光学走査ユニットに収容され、往復動しながら、原稿からの反射光をＣＣＤユニット106に導く。ＣＣＤユニット106はＣＣＤに原稿からの反射光を結像させる結像レンズ107、例えばＣＣＤから構成される撮像素子108、撮像素子108を駆動するＣＣＤドライバ109等から構成されている。撮像素子108からの画像信号出力は例えば８ビットのデジタルデータに変換された後、コントローラ部30に入力される。
【００３５】
また、110は感光ドラムであり、112の前露光ランプによって画像形成に備えて除電される。113は１次帯電器であり、感光ドラム110を一様に帯電させる。117は露光手段であり、例えば半導体レーザー等で構成され、画像形成や装置全体の制御を行うコントローラ部30で処理された画像データに基づいて感光ドラム110を露光し、静電潜像を形成する。118は現像器であり、黒色の現像剤（トナー）が収容されている。119は転写前帯電器であり、感光ドラム110上に現像されたトナー像を用紙に転写する前に高圧をかける。120、122、124、142、144は給紙ユニットであり（120は手差し給紙ユニット）、各給紙ローラ121、123、125、143、145の駆動により、転写用紙が装置内へ給送され、レジストローラ126の配設位置で一旦停止し、感光ドラム110に形成された画像との書き出しタイミングがとられ再給送される。127は転写帯電器であり、感光ドラム110に現像されたトナー像を給送される転写用紙に転写する。128は分離帯電器であり、転写動作の終了した転写用紙を感光ドラム110より分離する。転写されずに感光ドラム110上に残ったトナーはクリーナー111によって回収される。129は搬送ベルトで、転写プロセスの終了した転写用紙を定着器130に搬送し、例えば熱により定着される。131はフラッパであり、定着プロセスの終了した転写用紙の搬送パスを、ソーター132または中間トレイ137の配置方向のいずれかに制御する。また、133〜136は給送ローラであり、一度定着プロセスの終了した転写用紙を中間トレイ137に反転（多重）または非反転（両面）して給送する。138は再給送ローラであり、中間トレイ137に載置された転写用紙を再度、レジストローラ126の配設位置まで搬送する。
【００３６】
30のコントローラユニットには後述するCPU、スキャナ画像処理部、プリンタ画像処理部などを備えており、前述の画像形成動作の制御を行う。
【００３７】
＜画像形成装置220のスキャナ、プリンタ部説明＞
図５は、画像形成装置220におけるスキャナ10、プリンタ20の構成を示すブロック図である。
【００３８】
751はスキャナ10全体の制御を行なうCPUであり、制御プログラムを記憶した読み取り専用メモリ753（ROM)からプログラムを順次読み取り、実行する。CPUのアドレスバス、データバスはバスドライバ、アドレスデコーダ752からなる回路を介して各負荷に接続されている。また、コントローラユニット30のCPUと接続され、通信を行なう。
【００３９】
754は、入力データの記憶や作業用記憶領域等として用いる主記憶装置としてのランダムアクセスメモリ(RAM)である。755はI/Oインターフェースであり、給紙系、搬送系、光学系の駆動を行なうモーター類756、ランプ類757、また、搬送される用紙を検知する紙検知センサ類758等の装置の各負荷に接続される。
【００４０】
また、CCDユニット106により読み込まれた画像データは、コントローラユニット30に転送される。
【００４１】
次に、701はプリンタ20の制御を行うCPUであり、制御手順（制御プログラム）を記憶した読み取り専用メモリ703（ＲＯＭ）からプログラムを順次読み取り、実行する。CPU701のアドレスバスおよびデータバスは702のバスドライバー回路、アドレスデコーダ回路をへて各負荷に接続されている。また、704は入力データの記憶や作業用記憶領域等として用いる主記憶装置であるところのランダムアクセスメモリ（ＲＡＭ）である。705はＩ／Ｏインターフェースであり、給紙系、搬送系、光学系の駆動を行うモーター類707、クラッチ類708、ソレノイド類709、また、搬送される用紙を検知するための紙検知センサ類710等の装置の各負荷に接続される。現像器118には現像器内のトナー量を検知する711のトナー残検センサが配置されており、その出力信号がＩ／Ｏポート705に入力される。715は高圧ユニットであり、CPU701の指示に従って、前述の１次帯電器113、現像器118、転写前帯電器119、転写帯電器127、分離帯電器128へ高圧を出力する。
【００４２】
ＣＣＤユニット106から出力された画像信号はコントローラユニット30により、後述する画像処理を行い、画像データに従って117のレーザーユニットの制御信号を出力する。レーザーユニット117から出力されるレーザー光は感光ドラム110を照射し、露光するとともに非画像領域において受光センサであるところの713のビーム検知センサによって発光状態が検知され、その出力信号がＩ／Ｏポート705に入力される。
【００４３】
＜画像形成装置220のコントローラユニット説明＞
コントローラユニット30の構成図を図６に示す。コントローラユニット30は画像入力デバイスであるスキャナ10や画像出力デバイスであるプリンタ20と接続され、一方ではLAN 2011や公衆回線(WAN)2051のネットワークと接続することで、ユーザーデータ情報の入出力、及び制御を行う。
【００４４】
CPU 2001は、システム全体を制御するコントローラである。RAM 2002はCPU 2001が動作するためのシステムワークメモリであり、画像データを一時記憶するための画像メモリ、HDD 2004へ書き込みアクセスした際のアクセス記録を保持するためのメモリでもある。ROM 2003はブートROMであり、システムのブートプログラム及び前記ライセンス情報が格納されている。
【００４５】
HDD 2004は記憶媒体で、ハードディスクドライブを表す。HDD 2004内に、スキャナ１０でスキャンした画像データ、システムソフトウェア、画像データ、ソフトウェアカウンタ値を格納する。
【００４６】
操作部I/F 2006は操作部140とのインターフェースを行い、操作部140に表示する画像データを操作部140に対して出力する。Network 2010はLAN 2011に接続し、情報の入出力を行う。Modem 2050は公衆回線2051に接続し、情報の入出力を行う。
【００４７】
スキャナ、プリンタ通信I/F 2005は、スキャナ10、プリンタ20のCPUとそれぞれ通信を行うためのI/Fである。以上のデバイスがシステムバス2007上に配置される。
【００４８】
Image Bus I/F2005はシステムバス2007と画像データを高速で転送する画像バス2008を接続し、データ構造を変換するバスブリッジである。画像バス2008は、PCIバスまたはIEEE1394で構成される。画像バス2008上には以下のデバイスが配置される。ラスターイメージプロセッサ(RIP)2060はPDLコードをビットマップイメージに展開する。デバイスI/F部2020は、画像入出力デバイスであるスキャナ10やプリンタ20とコントローラユニット30を接続し、画像データのバスアクセスシーケンスを制御し同期系/非同期系の変換を行う。
【００４９】
スキャナ画像処理部2080は、入力画像データに対し補正、加工、編集を行う。プリンタ画像処理部は、プリント出力画像データに対して、プリンタの補正、解像度変換等を行う。画像回転部2030は画像データの回転を行う。画像圧縮部2040は、多値画像データはJPEG、2値画像画像データはJBIG、MMR、MHの圧縮伸張処理を行う。
【００５０】
図７はスキャナ画像処理部2080の構成を示す。画像バスI/Fコントローラ2081は、画像バス2008と接続し、そのバスアクセスシーケンスを制御する働きと、スキャナ画像処理部2080内の各デバイスの制御及びタイミングを発生させる。フィルタ処理部2082は、空間フィルタでコンボリューション演算を行う。編集部2083は、例えば入力画像データからマーカーペンで囲まれた閉領域を認識して、その閉領域内の画像データに対して、影つけ、網掛け、ネガポジ反転等の画像加工処理を行う。変倍処理部2084は、読み取り画像の解像度を変える場合にラスターイメージの主走査方向について補間演算を行い拡大、縮小を行う。副走査方向の変倍については、画像読み取りラインセンサ(図示せず)を走査する速度を変えることで行う。テーブル2085は、読み取った輝度データである画像データを濃度データに変換するために、行うテーブル変換である。2値化2086は、多値のグレースケール画像データを、誤差拡散処理やスクリーン処理によって2値化する。
【００５１】
処理が終了した画像データは、再び画像バスコントローラ2081を介して、画像バス上に転送される。
【００５２】
プリンタ画像処理部2090の構成を図８に示す。
【００５３】
データ入力部2201、データ出力部2008は、画像バス2008と接続し、そのバスアクセスシーケンスを制御する働きと、スキャナ画像処理部2090内の各デバイスの制御及びタイミングを発生させる。画像データは、ラスターイメージデータとしてデータ入力部2201から入力される。像域フラグ変換部2202は、各画像処理ブロック（2203〜2209）に存在し、所定の設定に従って、像域フラグを生成する。所定の変換は、操作部140からユーザーによって入力された印刷設定である。たとえば、複数毎のページ画像を１枚に画像合成を行う設定や、自動白黒判定の設定や下地除去などが含まれる。
【００５４】
色空間変換部2203では、入力画像データを上列演算を行ってプリンタ色再現色内に圧縮し、彩度調整、色位相調整など行う。また、前期像域フラグにより前期行列演算の演算係数値を切り替える。
【００５５】
下地除去2204では、入力画像に対して非線形演算を行い、画像の下地を除去する機能を持つ。
【００５６】
LOG変換部2205では、１次元ルックアップテーブルを用いた非線形変換を行い、画像データをRGB信号からCMYK信号へ変換する。
【００５７】
CMYK変換部2206では、３次元ルックアップテーブルを複数用い、CMYK信号の変換を行う。３次元ルックアップテーブルを複数持ち、像域フラグで演算係数を切り替える機能を持つ。
【００５８】
γ補正部2207では、入力されたCMYK信号を各々独立に１次元ルックアップテーブルを用いて濃度調整する。
【００５９】
ハーフトーン部2208では、入力された多値のイメージデータを４／２／１ビット諧調にする。ハーフトーンを行う手段としては、誤差拡散方法、スクリーン法を持ち、像域フラグの設定により、これらの手法を切り替える。
【００６０】
SST部2208では、イメージデータのエッジ部をパターンマッチングで検出し、シャギーを軽減する。
【００６１】
データ出力部2209では、イメージデータを画像バス2008へ出力する機能を持ち、その画像バスのアクセスシーケンスを制御する働きを持つ。
【００６２】
次に前記像域フラグについて説明を行う。
【００６３】
＜像域フラグの説明＞
図９に像域フラグ変換部2002でのイメージデータのフォーマットを示す。イメージデータと対で像域フラグのデータが付加されている形を取る。この像域フラグのデータは、各処理機能ごとに違った意味を持つように、データを割り当てる。
【００６４】
図１０、１１にスキャナ画像処理部2090及びCPU2001で作成される画像データに付加する像域フラグの例を示す。
【００６５】
この像域フラグの値に従って、プリンタ画像処理部の各ブロックは機能を切り替えることになる。
【００６６】
さらに、前記像域フラグの生成においては、イメージデータがページのレイアウト上のどの位置にあるか、レイアウト上の各イメージ画像の重なりぐらいは存在するか否かを判断し、各画像データの画素ごとに最適な像域フラグの生成を行う。これによって、複数毎の画像データを１ページに合成を行い印刷出力を行う場合にも、各画像データのレイアウトを考慮して、毎画素ごとに、どのページの画像が合成されているかを判断し、それにあった像域フラグデータに変換する。
【００６７】
図１２に像域フラグ変換部の詳細構成を示す。
【００６８】
2300は、合成後のレイアウト情報を取得するブロックで、各合成後のレイアウト情報をNブロック区間に分け、その各ブロック位置をレジスタ情報として与えることで、レイアウト情報を得る。
【００６９】
２３０１は、前記レイアウト情報から、合成後のレイアウトでの重なり具合を判断し、どの面が最上面に位置するかを判断する。
【００７０】
2302は、前記レイアウト情報、及び合成後の重なり具合の情報から、各画素に適した像域フラグの変換を行うブロックである。像域フラグの変換には、前記像域フラグの情報に従って変換するような、ルックアップテーブルによる変換を行うことも可能である。
【００７１】
図１３に合成画像の重なり例を示す。たとえば、４ページ分の画像データを１ページにレイアウトし合成出力する場合、場合によっては、各画像面の重なりが発生する。
【００７２】
その場合にも、前記レイアウト情報から生成した重なり具合を判断することで、重なり部分の画素に対する像域フラグを適切に判断する。
【００７３】
＜画像形成装置220の操作部説明＞
操作部140の構成を図１４に示す。LCD表示部1032は、LCD上にタッチパネルシートが貼られており、システムの操作画面を表示するとともに、表示してあるキーが押されるとその位置情報をコントローラユニット30に伝える。テンキー1028はコピー枚数、認証用のパスワードなどの数字入力時に使用する。スタートキー1029は原稿画像の読み取り動作を開始する時などに用いる。ストップキー1030は稼働中の動作を止めるときに使用する。リセットキー1031は操作部からの設定を初期化する時に用いる。
【００７４】
1024はコピーモードキーであり、複写を行うときに押す。1025はファクスキーであり、ファクスに関する設定を行うときに押す。1026はファイルキーであり、画像形成装置221、222内の記憶媒体に保存されているファイルデータをLCD表示部1032上、ネットワーク200上のPC212,213、もしくは紙媒体に出力したいときに押す。1027はプリンターキーであり、コンピュータ等の外部装置からのプリント出力に関する設定などを行なうときに使用する。
【００７５】
図１５は、操作部140上のパネルにあたるLCD表示部に表示される基本画面である。
【００７６】
1001は拡張機能キーであり、このキーを押すことによって両面複写、多重複写、移動、とじ代の設定、枠消しの設定等のモードに入る。1002は画像モードキーであり、複写画像に対して網掛け、影付け、トリミング、マスキングを行うための設定モードに入る。1003はユーザーモードキーであり、モードメモリの登録、標準モード画面の設定がユーザーごとに行える。1004は応用ズームキーであり、原稿のＸ方向、Ｙ方向を独立に変倍するモード、原稿のサイズと複写サイズから変倍率を計算するズームプログラムのモードに入る。1005、1006、1007はＭ１キー、Ｍ２キー、Ｍ３キーであり、それぞれのモードメモリを呼び出す際に押す。1008はコールキーであり、前回設定されていた複写モードを呼び出す際に押す。1009はオプションキーであり、フィルムから直接複写するためのフィルムプロジェクター等のオプション機能の設定を行う。1010はソーターキーであり、ソート出力、グループ出力等のモード設定を行う。1011は原稿混載キーであり、原稿フィーダーにＡ４サイズとＡ３サイズ、またはＢ５サイズとＢ４サイズの原稿を一緒にセットする際に押す。1012は等倍キーであり、複写倍率を100％にする際に押す。1014、1015はそれぞれ縮小キー、拡大キーであり、定形の縮小、拡大を行う際に押す。1016はズームキーであり、１％刻みで非定形の縮小、拡大を行う際に押す。1013は用紙選択キーであり、複写用紙の選択を行う際に押す。1018、1020は濃度キーであり、1018を押すごとに濃く複写され、1020を押すごとに薄く複写される。1017は濃度表示であり、濃度キーを押すと表示が左右へ変化する。1019はＡＥキーであり、新聞のように地肌の濃い原稿を自動濃度調整複写するときに押す。1021はＨｉＦｉキーであり、写真原稿のように中間調の濃度が多い原稿の複写の際に押す。1022は文字強調キーであり、文字原稿の複写で文字を際立たせたい場合に押下する。
【００７７】
上記操作部140による設定された印刷レイアウトに従って、前期像域フラグが変換される。
【００７８】
前記像域フラグに従って、プリンタ画像処理部2008において各画像処理ブロック（2203〜2209）において、最適な画像処理を行う。
【図面の簡単な説明】
【００７９】
【図１】本発明におけるシステムの構成を示す基本図である。
【図２】本発明の画像形成装置を含むネットワークシステムを示す図である。
【図３】本発明の画像形成装置の外観を示すである。
【図４】画像形成装置の全体構成を示す断面図である。
【図５】画像形成装置におけるスキャナ、プリンタの構成を示すブロック図である。
【図６】コントローラユニットの構成を示す図である。
【図７】スキャナ画像処理部のブロック図を示す図である。
【図８】プリンタ画像処理部のブロック図を示す図である。
【図９】像域フラグデータ及び画像データのフォーマットを示す図である。
【図１０】像域フラグの情報を説明するための図である。
【図１１】像域フラグの情報を説明する別例の図である。
【図１２】像域フラグ変換部の構成を示す図である。
【図１３】合成レイアウトの説明をする図である。
【図１４】操作部を示す図である。
【図１５】LCD表示を示す図である。
【図１】
2008103919.tif 000003
【図２】
2008103919.tif 000004
【図３】
2008103919.tif 000005
【図４】
2008103919.tif 000006
【図５】
2008103919.tif 000007
【図６】
2008103919.tif 000008
【図７】
2008103919.tif 000009
【図８】
2008103919.tif 000010
【図９】
2008103919.tif 000011
【図１０】
2008103919.tif 000012
【図１１】
2008103919.tif 000013
【図１２】
2008103919.tif 000014
【図１３】
2008103919.tif 000015
【図１４】
2008103919.tif 000016
【図１５】
2008103919.tif 000017